(57)【要約】【課題】おむつを着用者の体型にフィットさせ得る、おむつの着用法を誘引する指標を有し、外見的にも良好な使い捨ておむつを提供すること。【解決手段】ランディングテープ７の右側領域７Ｒ及び左側領域７Ｌそれぞれに、ファスニングテープ６止着用の複数の指標が表示されており、複数の該指標は、第２仮想中心線ＣＬ２よりおむつ１の内方に位置する第１指標１１と、該第２仮想中心線ＣＬ２よりおむつ１の外方に位置する第２指標１２とを含んでいる。第１指標１１は、そのおむつ１の長手方向第２端部１ｂ側が第１仮想中心線ＣＬ１に最も近く、長手方向第１端部１ａ側が該第１仮想中心線ＣＬ１から最も遠くなるように傾斜している。第２指標１２は、その長手方向第２端部１ｂ側がおむつ１の長手方向側縁１ｃに最も近く、長手方向第１端部１ａ側が該長手方向側縁１ｃから最も遠くなるように傾斜している。【選択図】図１
2008168115.tif 000002
【特許請求の範囲】
【請求項１】
表面シート、裏面シート及び両シート間に介在された吸収体を備え、縦長に形成されており、長手方向第１端部の左右両側縁部に一対のファスニングテープが設けられており、長手方向第２端部の該裏面シート上に該ファスニングテープ止着用のランディングテープが貼付されている使い捨ておむつであって、
前記おむつの幅方向を二分する第１仮想中心線によって分けられる前記ランディングテープの右側領域及び左側領域それぞれの表面に、該幅方向に並ぶ、前記ファスニングテープの止着位置を示す複数の指標が表示されており、
複数の前記指標それぞれは、前記長手方向第２端部側から前記長手方向第１端部側に向かって延びる仮想直線に沿って表示されており、
前記右側領域及び前記左側領域それぞれにおける複数の前記指標は、前記第１仮想中心線と平行で且つ該領域のそれぞれを二分する第２仮想中心線より前記おむつの内方に位置する第１指標と、該第２仮想中心線より前記おむつの外方に位置する第２指標とを含んでおり、
前記第１指標が、前記長手方向第２端部側が前記第１仮想中心線に最も近く、前記長手方向第１端部側が該第１仮想中心線から最も遠くなるように傾斜しており、
前記第２指標が、前記長手方向第２端部側が前記おむつの長手方向側縁に最も近く、前記長手方向第１端部側が該長手方向側縁から最も遠くなるように傾斜している使い捨ておむつ。
【請求項２】
前記右側領域及び前記左側領域それぞれにおける複数の前記指標は、前記第２仮想中心線に沿って表示されている第３指標を含んでいる請求項１記載の使い捨ておむつ。
【請求項３】
前記第１指標を複数有し、複数の該第１指標のうち、前記第１仮想中心線に最も近い位置に表示されている中心線最近接指標が、前記おむつの長手方向に対する傾斜角度が最大となっており、且つ複数の該第１指標は、該第１仮想中心線から前記第２仮想中心線に向かうに従って該傾斜角度が小さくなっている請求項１又は２記載の使い捨ておむつ。
【請求項４】
前記第２指標を複数有し、複数の該第２指標のうち、前記おむつの前記長手方向側縁に最も近い位置に表示されている側縁最近接指標が、前記おむつの長手方向に対する傾斜角度が最大となっており、且つ複数の該第２指標は、該長手方向側縁から前記第２仮想中心線に向かうに従って該傾斜角度が小さくなっている請求項１〜３の何れかに記載の使い捨ておむつ。
【請求項５】
前記ファスニングテープの前記ランディングテープとの止着面と反対側の面に、前記指標のデザインと相関するデザインが施されている請求項１〜４の何れかに記載の使い捨ておむつ。
【請求項６】
複数の前記指標の少なくとも一部が、前記ファスニングテープの先端縁の形状と同一形状部分を有しており、該同一形状部分が、前記仮想直線に沿って表示されている請求項２〜５の何れかに記載の使い捨ておむつ。
【請求項７】
表面シート、裏面シート及び両シート間に介在された吸収体を備え、実質的に縦長に形成されており、長手方向第１端部の左右両側縁部に一対のファスニングテープが設けられており、長手方向第２端部の該裏面シート上に該ファスニングテープ止着用のランディングテープが貼付されている使い捨ておむつであって、
前記おむつの幅方向を二分する仮想中心線によって分けられる前記ランディングテープの右側領域及び左側領域それぞれの表面に、絵柄を含んで構成されるデザインが施されており、
前記絵柄は、前記ファスニングテープの止着位置を示す指標を有しており、該指標は、前記おむつの長手方向側縁側から前記仮想中心線側に向けて実質的に連続し且つ前記長手方向第２端部側に凸の円弧状又は山型形状を有しており、
前記ファスニングテープの前記ランディングテープとの止着面と反対側の面に、前記絵柄と相関する絵柄が施されている使い捨ておむつ。
【発明の詳細な説明】
【技術分野】
【０００１】
本発明は、長手方向一端部（第１端部）側の左右両側縁部に左右一対のファスニングテープを有し、このファスニングテープを長手方向他端部（第２端部）側に設けられたランディングテープに止着することによって身体に装着する、いわゆる展開型の使い捨ておむつに関する。
【背景技術】
【０００２】
従来、展開型の使い捨ておむつとして、ランディングテープにファスニングテープの止着箇所を示す縦線などの目印が印刷され、この目印にファスニングテープの先端部を一致させて該ファスニングテープを該ランディングテープに止着させることにより、おむつ着用者の個々の体型に対して大まかにおむつをフィットさせるようにしたものが知られている。例えば特許文献１には、ランディングテープに、ファスニングテープの止着箇所の目印となる直線指標と、おむつの着用者の平均的な胴回り及び足回り寸法からなる数値指標とを表示した使い捨ておむつが開示されている。
【０００３】
しかし、このような数値指標に合わせてファスニングテープを止着させるためには、おむつ着用者の体型測定を予め行っておくことが必要であり、該数値指標を活かしたおむつの着用を行うためには煩雑な作業が必要となる。また、予め測定した各種体型値が常に正確であるとは限らないため、数値指標にのみ依存してファスニングテープの止着を行なうと、充分なフィット感が得られないばかりか、おむつ着用者の体型に合わせた臨機応変なファスニングテープの止着を妨げるおそれがある。また例えば、乳幼児の腹部が前方に突出した体型は、上記のような数値指標のみでは充分に表現できない立体的特徴をもち、また、おむつ着用者の体型は空腹時、満腹時などで大きく変化することから、正確な体型測定をしたとしても、数値指標の通りにおむつを着用することが、おむつをフィットさせる上で常に適切であるとは言い難い。また、ランディングテープの表面はおむつの中でも特に目立つ部位であり、該表面に、直線や数値が書き込まれているデザインは、機械的で面白味がない。特に、乳幼児向けのおむつにおいては、ランディングテープの表面のデザインが、おむつ購入時の選択の重要な要素となる場合があり、特許文献１に記載のおむつは、デザインの面でも改良の余地がある。
【０００４】
ファスニングテープの止着箇所を示す指標が表示されたランディングテープのデザインに関し、特許文献２には、ファスニングテープの外面に、ランディングテープの外面のデザインと相関するデザインが施され、ランディングテープの外面に施されたデザインを阻害することなく、見た目にも違和感がなく、着用者である幼児に対して知育ができる使い捨ておむつが開示されている。
しかし、この使い捨ておむつは、おむつ着用者の様々な身体的特徴、体型に対応したものとは言えず、ランディングテープの外面に表示された指標に合わせてファスニングテープを止着しても、充分なフィット感が得られない場合があった。
【０００５】
【特許文献１】特開２０００−６０８９９号公報
【特許文献２】特開２００３−１１１７９８号公報
【発明の開示】
【発明が解決しようとする課題】
【０００６】
従って本発明の目的は、おむつを着用者の体型にフィットさせ得る、おむつの着用法を誘引する指標を有し、外見的にも良好な使い捨ておむつを提供することにある。
【課題を解決するための手段】
【０００７】
本発明は、表面シート、裏面シート及び両シート間に介在された吸収体を備え、縦長に形成されており、長手方向第１端部の左右両側縁部に一対のファスニングテープが設けられており、長手方向第２端部の該裏面シート上に該ファスニングテープ止着用のランディングテープが貼付されている使い捨ておむつであって、前記おむつの幅方向を二分する第１仮想中心線によって分けられる前記ランディングテープの右側領域及び左側領域それぞれの表面に、該幅方向に並ぶ、前記ファスニングテープの止着位置を示す複数の指標が表示されており、複数の前記指標それぞれは、前記長手方向第２端部側から前記長手方向第１端部側に向かって延びる仮想直線に沿って表示されており、前記右側領域及び前記左側領域それぞれにおける複数の前記指標は、前記第１仮想中心線と平行で且つ該領域のそれぞれを二分する第２仮想中心線より前記おむつの内方に位置する第１指標と、該第２仮想中心線より前記おむつの外方に位置する第２指標とを含んでおり、前記第１指標が、前記長手方向第２端部側が前記第１仮想中心線に最も近く、前記長手方向第１端部側が該第１仮想中心線から最も遠くなるように傾斜しており、前記第２指標が、前記長手方向第２端部側が前記おむつの長手方向側縁に最も近く、前記長手方向第１端部側が該長手方向側縁から最も遠くなるように傾斜している使い捨ておむつを提供することにより、前記目的を達成したものである。
【０００８】
また本発明は、表面シート、裏面シート及び両シート間に介在された吸収体を備え、実質的に縦長に形成されており、長手方向第１端部の左右両側縁部に一対のファスニングテープが設けられており、長手方向第２端部の該裏面シート上に該ファスニングテープ止着用のランディングテープが貼付されている使い捨ておむつであって、前記おむつの幅方向を二分する仮想中心線によって分けられる前記ランディングテープの右側領域及び左側領域それぞれの表面に、絵柄を含んで構成されるデザインが施されており、前記絵柄は、前記ファスニングテープの止着位置を示す指標を有しており、該指標は、前記おむつの長手方向側縁側から前記仮想中心線側に向けて実質的に連続し且つ前記長手方向第２端部側に凸の円弧状又は山型形状を有しており、前記ファスニングテープの前記ランディングテープとの止着面と反対側の面に、前記絵柄と相関する絵柄が施されている使い捨ておむつを提供することにより、前記目的を達成したものである。
【発明の効果】
【０００９】
本発明の使い捨ておむつは、おむつを着用者の体型にフィットさせ得る、おむつの着用法を誘引するファスニングテープの止着指標を有しているため、該指標に合わせてファスニングテープの止着位置を調整するだけの簡単な作業で、標準的な体型をもつ着用者をはじめ、おむつの適応サイズからやや外れた体型をもつ着用者に対しても充分なフィット感を提供でき、体液の漏れやおむつのずり落ちが効果的に防止される。また、外見的にも良好で、おむつの着用に楽しさを与えることができる。
【発明を実施するための最良の形態】
【００１０】
以下、本発明の使い捨ておむつを、その好ましい実施形態に基づき図面を参照して説明する。
図１には、本発明の第１実施形態としての使い捨ておむつが示されている。図２は、図１に示すおむつを腹側部から見た斜視図である。
【００１１】
おむつ１は、液透過性の表面シート２、液不透過性の裏面シート３、及び両シート２，３間に介在された液保持性の吸収体４を備えている展開型のものである。おむつ１は、図１に示すように、実質的に縦長に形成されており、長手方向の中央部に股下部Ａを有し、且つ該股下部Ａから長手方向前後にそれぞれ延びる腹側部Ｂ及び背側部Ｃを有している。股下部Ａはおむつ着用時に着用者の股下に位置する部位、腹側部Ｂは着用者の腹側に位置する部位、背側部Ｃは着用者の背側に位置する部位である。表面シート２の外面は、おむつ１の着用時に着用者の肌に当接する肌当接面となっている。裏面シート３の外面は、おむつ１の着用時に衣類と当接する衣類当接面（非肌当接面）となっている。
【００１２】
おむつ１は、股下部Ａの両側縁が円弧状に湾曲しており、全体として長手方向中央部が内方に括れた砂時計状の形状となっている。表面シート２及び裏面シート３は、おむつの外形形状に一致する砂時計状の外形を有している。吸収体４は、長方形形状の外形を有しており、おむつ１の幅方向中央部に配されている。表面シート２及び裏面シート３は、それぞれ、吸収体４の長手方向両側縁及び幅方向両端縁から外方に延出しており、それらの延出部において互いに接合されている。おむつ１における長手方向の両側には、それぞれレッグギャザー形成用の弾性部材５が配されて、レッグギャザーが形成されている。尚、幅方向とは、縦長あるいは横長に形成された物品の長手方向と直交する方向を意味する。
【００１３】
おむつ１の長手方向第１端部１ａの左右両側縁部には一対のファスニングテープ６，６が設けられている。具体的には、背側部Ｃの両側部それぞれにはサイドフラップＳが形成されており、そのサイドフラップＳにファスニングテープ６が取り付けられている。尚、サイドフラップＳは、腹側部Ｂの左右両側部にも形成されている。ファスニングテープ６の肌当接面側には、メカニカルファスナのフック部材（図示せず）が取り付けられている。このフック部材としては当業界で公知のものを特に制限なく用いることができる。特に、不織布製の基材にフック部材を取り付けたものは、止着中でも透湿性を高く保つことができるので好ましい。ファスニングテープ６自体は、不織布や樹脂フィルムなど、当業界で公知のものを特に制限なく用いることができる。
【００１４】
ファスニングテープ６の先端縁６ａは直線となっている。即ち、ファスニングテープ６を図１に示すように平面視したとき、その先端縁６ａが直線状となっている。この先端縁６ａにおける直線の長さＬ１は、好ましくは１０〜４０ｍｍ、更に好ましくは１５〜３０ｍｍである。
ファスニングテープ６の幅方向（おむつ１の長手方向と平行な方向）の長さ（最大長さ）Ｌ２は、好ましくは２０〜５０ｍｍ、更に好ましくは３０〜４０ｍｍであり、ファスニングテープ６の長手方向（おむつ１の幅方向と平行な方向）の長さＬ３は、好ましくは３０〜６０ｍｍ、更に好ましくは３５〜４５ｍｍである。
【００１５】
腹側部Ｂにおけるおむつ１の長手方向第２端部１ｂの裏面シート３上（衣類当接面上）には、ファスニングテープ６，６止着用のランディングテープ７が貼付されている。ランディングテープ７は、基材シート７及び該基材シート７に貼り合わされたループ材料（図示せず）から構成されている。基材シート７は、ループ材料を支持すると共に、ランディングテープ７を裏面シート３の外面に貼付するために用いられるものである。基材シート７としては、不織布や樹脂フィルムなど、当業界で公知のものを特に制限なく用いることができる。ループ材料は、ファスニングテープ６に取り付けられたメカニカルファスナの前記フック部材と係合する係合部材として用いられる。このループ材料としては、フック部材を押しつけることにより、フック部材を止着可能なものを特に制限なく用いることができる。ループ材料としては、公知の機械的面ファスナーのメス部材を用いることができる。
【００１６】
ランディングテープ（基材シート）７は、横長の長方形形状を有しており、その長手方向をおむつ１の幅方向に一致させて、おむつ１の幅方向中央部に設けられている。ランディングテープ７の幅方向の長さＬ４は、好ましくは２０〜６０ｍｍ、更に好ましくは３０〜５０ｍｍであり、ランディングテープ７の長手方向の長さＬ５は、好ましくは１２〜２５ｃｍ、更に好ましくは１５〜２０ｃｍである。
【００１７】
ランディングテープ７は、おむつ１の幅方向を二分する第１仮想中心線ＣＬ１によって、右側領域７Ｒと左側領域７Ｌとによって二分される。つまり、第１仮想中心線ＣＬ１は、おむつ１の長手方向と平行で且つランディングテープ７の長手方向中央部を通過している。右側領域７Ｒと左側領域７Ｌそれぞれの表面には、おむつ１の幅方向に並ぶ、ファスニングテープ６の止着位置を示す複数の指標（第１実施形態では、「きっちり」、「ゆったり」、「ぴったり」の３つ）が印刷により表示されており、これら複数の指標は第１仮想中心線ＣＬ１を挟んで左右対称位置に表示されている。
【００１８】
以下、ランディングテープ７の右側領域７Ｒを例にとって説明するが、右側領域７Ｒについての以下の説明は特に断らない限り、左側領域７Ｌにも適用される。
前記複数の指標それぞれは、図３に示すように、おむつ１の長手方向第２端部１ｂ側から長手方向第１端部１ａ側に向かって（おむつ１の上方側から下方側に向かって）延びる仮想直線Ｘ１〜Ｘ３に沿って表示されている。ここで、指標が仮想直線に沿って表示されているとは、指標の長手方向が仮想直線と略平行になるように該指標が表示されていることを意味する。つまり、第１実施形態においては、各指標は実質的に縦長の形状を有している。第２仮想中心線ＣＬ２は、第１仮想中心線ＣＬ１と平行で且つ右側領域７Ｒを二分している。
【００１９】
右側領域７Ｒにおける前記複数の指標は、第２仮想中心線ＣＬ２よりおむつ１の内方に位置する第１指標１１「きっちり」と、該第２仮想中心線ＣＬ２よりおむつ１の外方に位置する第２指標１２「ゆったり」とを含んでいる。また、第１実施形態においては、これら２つの指標に加えて更に、第２仮想中心線ＣＬ２に並行に配置された仮想直線Ｘ３に沿って表示されている第３指標１３「ぴったり」を含んでいる。
【００２０】
第１指標１１は、長手方向第２端部１ｂ側が第１仮想中心線ＣＬ１に最も近く、長手方向第１端部１ａ側が該第１仮想中心線ＣＬ１から最も遠くなるように傾斜している。具体的には第１指標１１は、そのおむつ長手方向第２端部１ｂ寄りの端部１１ｂが第１仮想中心線ＣＬ１に最も近く、該端部１１ｂと反対側の端部１１ａが該第１仮想中心線ＣＬ１から最も遠くなるように傾斜している。
第２指標１２は、長手方向第２端部１ｂ側がおむつ１の長手方向側縁１ｃに最も近く、長手方向第１端部１ａ側が該長手方向側縁１ｃから最も遠くなるように傾斜している。具体的には第２指標１２は、そのおむつ長手方向第２端部１ｂ寄りの端部１２ｂがおむつ１の長手方向側縁１ｃに最も近く、該端部１２ｂと反対側の端部１２ａが該長手方向側縁１ｃから最も遠くなるように傾斜している。
第３指標１３は、上述したように、第１仮想中心線ＣＬ１と平行な第２仮想中心線ＣＬ２（仮想直線Ｘ３）に沿って表示されており、傾斜しておらず、おむつ１の長手方向と平行に表示されている。
【００２１】
図４には、おむつ１のファスニングテープ６をランディングテープ７の第３指標１３「ぴったり」に合わせて止着させた状態が示されている。第１実施形態においては、ファスニングテープ６のランディングテープ７への止着は、図４に示すように、ファスニングテープ６の幅方向を指標の長手方向に一致させ且つその先端縁６ａを該指標に一致させるようにして行うことが好ましい。図４では、止着されたファスニングテープ６は、その先端縁６ａから基端部６ｂに向かっておむつ１の幅方向に平行な状態にある。図４に示す止着形態は、第３指標１３が示すとおり、着用者の体型がおむつ１の適応サイズに「ぴったり」な場合、即ち、標準的な体型をもつ着用者に好適な止着形態であり、おむつ１のウエスト周りを該着用者の体型にフィットさせることができる。
【００２２】
図５には、おむつ１のファスニングテープ６をランディングテープ７の第１指標１１「きっちり」に合わせて止着させた状態が示されている。図５では、止着されたファスニングテープ６は、その先端縁６ａから基端部６ｂに向かっておむつ１の上方向へ傾斜した状態にある。このとき、ランディングテープ７は乳幼児の腹部でっぱりのさらに上部に位置することになり、おむつ１の背側部Ｃと着用者の背中とが隙間無くフィットする。図５に示す止着形態は、第１指標１１が示すとおり、おむつ１のウエスト周りを「きっちり」ときつめにフィットさせたい場合に好適な止着形態であり、特に、おむつ１の適応サイズよりも小さめの体型をもつ着用者に好適である。
【００２３】
第１指標１１におけるファスニングテープ６の止着効果をより効果的に発現させる観点から、第１指標１１（仮想直線Ｘ１）のおむつ１の長手方向（第２仮想中心線ＣＬ２）に対する傾斜角度は、好ましくは１０〜４５°、更に好ましくは１５〜３０°である。
【００２４】
図６には、おむつ１のファスニングテープ６をランディングテープ７の第２指標１２「ゆったり」に合わせて止着させた状態が示されている。図６では、止着されたファスニングテープ６は、その先端縁６ａから基端部６ｂに向かっておむつ１の下方向へ傾斜した状態にある。このとき、ランディングテープ７は、乳幼児の腹部でっぱりからその下部に位置することになる。図６に示す止着形態は、第２指標１２が示すとおり、おむつ１のウエスト周りを「ゆったり」とゆるめにフィットさせたい場合に好適な止着形態であり、特に、おむつ１の適応サイズよりも大きめの体型をもつ着用者に好適である。
【００２５】
第２指標１２におけるファスニングテープ６の止着効果をより効果的に発現させる観点から、第２指標１２（仮想直線Ｘ２）のおむつ１の長手方向（第２仮想中心線ＣＬ２）に対する傾斜角度は、好ましくは１０〜４５°、更に好ましくは１５〜３０°である。
【００２６】
このように、第１実施形態の使い捨ておむつ１は、標準的な体型、標準より小さめの体型、標準より大きめの体型それぞれに最適なおむつの着用法を誘引する、ファスニングテープ６の止着指標１１〜１３を有しているため、所望の指標に合わせてファスニングテープ６，６の止着位置を調整するだけの簡単な作業で、上記各体型に対して良好なフィット感を提供することができ、体液の漏れやずり落ちを防止することができる。また、第１実施形態の各指標１１〜１３は、適合体型を数値で表現した指標ではなく、着用時のフィット感を官能的に表現した文字から構成されているため、満腹時、空腹時で変化するおむつ着用者の体型に合わせた臨機応変なファスニングテープの止着を誘引することができる。また、ランディングテープ７の表面デザインがすっきりしており、外見的にも良好である。
【００２７】
おむつ１における各部の形成材料について説明すると、表面シート２、裏面シート３、吸収体４、レッグギャザー形成用の弾性部材５としては、従来の使い捨ておむつにおいて、それぞれ材料として用いられている各種公知の材料等を、特に制限なく用いることができる。例えば、表面シート２としては、不織布や開孔フィルム等の各種液透過性のシート材を用いることができ、裏面シート３としては、透湿性を有しない樹脂フィルムや、微細孔を有し、透湿性を有する樹脂フィルム、撥水不織布等の不織布、これらと他のシートとのラミネート体等を用いることができ、吸収体４としては、解繊パルプ等の親水性繊維からなる繊維集合体又はこれに高吸収性ポリマーを保持させたもの等を用いることができる。
【００２８】
以下、本発明の使い捨ておむつの他の実施形態について説明する。以下の実施形態については、上述した第１実施形態のおむつ１と異なる構成部分を主として説明し、同様の構成部分は同一の符号を付して説明を省略する。特に説明しない構成部分は、第１実施形態のおむつ１についての説明が適宜適用される。
【００２９】
図７は、本発明の第２実施形態の要部を示す平面図である。第２実施形態のおむつ１は、第１指標１１、第２指標１２、第３指標１３の各デザインが、「ピアノの鍵盤」を示す絵柄から構成されている。また、ファスニングテープ６のランディングテープ７との止着面と反対側の面に、指標１１〜１３のデザイン「ピアノの鍵盤」と相関するデザイン６１が施されている。ここで、「指標のデザインと相関するデザイン」とは、指標と組み合わされても違和感を覚えさせないデザインを意味する。デザイン６１は、「猫の手」を示す絵柄から構成されており、ファスニングテープ６を指標１１〜１３の何れかに止着させることで、「猫の手」が「ピアノの鍵盤」を叩くイメージが想起される。
第２実施形態のおむつ１によれば、第１実施形態と同様の効果（良好なフィット性、体液の漏れやずり落ち防止）の他、見た目に楽しく、外見的に面白味がある。第２実施形態のおむつ１は、主たる着用者である幼児の興味を誘うおむつであるといえる。
【００３０】
図８は、本発明の第３実施形態の要部を示す平面図である。第３実施形態のおむつ１は、第１指標、即ち、「そのおむつ長手方向第２端部１ｂ寄りの端部（１１ｂ，１１ｂ´）が第１仮想中心線ＣＬ１に最も近く、該端部と反対側の端部（１１ａ，１１ａ´）が該第１仮想中心線ＣＬ１から最も遠くなるように傾斜している指標」を複数（第３実施形態では２つ）有している。これら複数の第１指標１１，１１´は、第１仮想中心線ＣＬ１に対する傾斜角度が異なっている。つまり、第３実施形態のおむつ１は、第１仮想中心線ＣＬ１に対する傾斜角度が異なる複数（２つ）の第１指標１１，１１´を有している。また、これら複数の第１指標１１，１１´それぞれは、複数（第３実施形態では３つ）の同一形状の指標を含んで構成されており、これら複数（３つ）の指標は、該指標の長手方向と直交する方向に所定間隔を置いて並列に配されており、第１仮想中心線ＣＬ１に対する傾斜角度が同一である。
複数の第１指標１１，１１´のうち、第１仮想中心線ＣＬ１に最も近い位置に表示されている中心線最近接指標１１が、おむつ１の長手方向（第２仮想中心線ＣＬ２）に対する傾斜角度が最大となっており、且つ複数の第１指標１１，１１´は、第１仮想中心線ＣＬ１から第２仮想中心線ＣＬ２（仮想直線Ｘ３）に向かうに従って該傾斜角度が小さくなっている。中心線最近接指標１１の前記傾斜角度は、好ましくは１０〜４５°、更に好ましくは１５〜３０°である。
第１指標は、上述したように、おむつ１のウエスト周りをきつめにフィットさせたい場合に好適な止着形態を誘引する止着指標であり、このような第１指標が複数表示されていることにより、特に、おむつ１の適応サイズよりも小さめの体型をもつ着用者に対して、よりきめ細かな止着形態を提供することができる。
【００３１】
また、第３実施形態のおむつ１は、第２指標、即ち、「そのおむつ長手方向第２端部１ｂ寄りの端部（１２ｂ，１２ｂ´）がおむつ１の長手方向側縁１ｃに最も近く、該端部と反対側の端部（１２ａ，１２ａ´）が該長手方向側縁１ｃから最も遠くなるように傾斜している指標」を複数（第３実施形態では２つ）有している。これら複数の第２指標１２，１２´は、おむつ１の長手方向側縁１ｃに対する傾斜角度が異なっている。つまり、第３実施形態のおむつ１は、おむつ１の長手方向側縁１ｃに対する傾斜角度が異なる複数（２つ）の第２指標１２，１２´を有している。また、これら複数の第２指標１２，１２´それぞれは、複数（第３実施形態では３つ）の同一形状の指標を含んで構成されており、これら複数（３つ）の指標は、該指標の長手方向と直交する方向に所定間隔を置いて並列に配されており、おむつ１の長手方向側縁１ｃに対する傾斜角度が同一である。
複数の第２指標１２，１２´のうち、おむつ１の長手方向側縁１ｃに最も近い位置に表示されている側縁最近接指標１２が、おむつ１の長手方向（第２仮想中心線ＣＬ２）に対する傾斜角度が最大となっており、且つ複数の第２指標１２，１２´は、該長手方向側縁１ｃから第２仮想中心線ＣＬ２（仮想直線Ｘ３）に向かうに従って該傾斜角度が小さくなっている。側縁最近接指標１２の前記傾斜角度は、好ましくは１０〜４５°、更に好ましくは１５〜３０°である。
第２指標は、上述したように、おむつ１のウエスト周りをゆるめにフィットさせたい場合に好適な止着形態を誘引する止着指標であり、このような第１指標が複数表示されていることにより、特に、おむつ１の適応サイズよりも大きめの体型をもつ着用者に対して、よりきめ細かな止着形態を提供することができる。
尚、第３指標１３も、第１指標１１及び第２指標１２と同様に、複数（第３実施形態では３つ）の同一形状の指標を含んで構成されており、これら複数の指標は、該指標の長手方向と直交する方向に所定間隔を置いて並列に配されており、おむつ１の長手方向と平行に表示されている。
【００３２】
また、第３実施形態のおむつ１は、前記各指標１１〜１３の形状と、ファスニングテープ６の先端縁６ａの形状とが一致している。即ち、各指標１１〜１３それぞれのデザインが「波線」（３本の波線を組み合わせた図柄）から構成されていると共に、ファスニングテープ６の先端縁６ａが、指標１１〜１３と同一形状の波線状に形成されている。このように、指標とファスニングテープの先端縁の形状（先端縁を平面視したときの形状）とが一致していることにより、ファスニングテープを止着すべき位置がより明確になるため、ファスニングテープの止着がより適切に行われ、フィット感の向上につながる。
【００３３】
図９は、本発明の第４実施形態の要部を示す平面図、図１０は、本発明の第５実施形態の要部を示す平面図、図１１は、本発明の第６実施形態の要部を示す平面図である。第４、第５及び第６実施形態は、何れも、複数の指標の少なくとも一部が、ファスニングテープ６の先端縁６ａの形状と同一形状部分を有しており、該同一形状部分が、おむつ１の長手方向第２端部１ｂ側から長手方向第１端部１ａ側に向かって延びる仮想直線（図中、Ｘで始まる符号で示す）に沿って表示されている。
【００３４】
第４実施形態においては、図９に示すように、第１指標１１、第２指標１２及び第３指標１３それぞれが、正方形形状の枠１４と、該枠１４内に表示された複数の指標と（１１´，１２´，１３´）から構成されている。枠１４内に表示された複数の指標は、当該枠１４内において該指標の長手方向と直交する方向に所定間隔を置いて並列に表示されている。各枠１４内において、複数の指標は延びる方向が統一されている。
また、ファスニングテープ６の先端縁６ａは、３つの凸部が該凸の方向と直交する方向に連なった３連波線形状に形成されており、第１指標１１を構成する複数の指標１１´の一部、第２指標１２を構成する複数の指標１２´の一部、及び第３指標１３を構成する複数の指標１３´の全部が、それぞれ該３連波線形状と同一形状部分を有している。
第４実施形態によっても、第１実施形態と同様の効果が奏される。
【００３５】
第５実施形態においては、図１０に示すように、ファスニングテープ６の先端縁６ａが、２つの凸部が該凸の方向と直交する方向に連なった２連波線形状に形成されており、第１指標１１、第２指標１２及び第３指標１３それぞれが、該２連波線形状と同一形状部分を有している図柄（第５実施形態ではハートマーク）を含んで構成されている。具体的には、第１指標１１、第２指標１２及び第３指標１３それぞれは、複数（３つ）の図柄（ハートマーク）を向きを同じにして部分的に重ね合せた形状を有しており、各図柄における前記同一形状部分が重ならずに露出している。
第５実施形態によっても、第１実施形態と同様の効果が奏される。
【００３６】
第６実施形態においては、図１１に示すように、第１仮想中心線ＣＬ１に対する傾斜角度が異なる複数の第１指標１１と、おむつ１の長手方向側縁１ｃに対する傾斜角度が異なる複数の第２指標１２と、第２仮想中心線ＣＬ２上に表示された第３指標１３とが表示されている（図１１では、説明容易のため、一部の指標にのみ仮想直線を表示している）。複数の第１指標１１のうち、第１仮想中心線ＣＬ１に最も近い位置に表示されている中心線最近接指標１１Ｑが、おむつ１の長手方向（第２仮想中心線ＣＬ２）に対する傾斜角度が最大となっており、且つ複数の第１指標１１は、第１仮想中心線ＣＬ１から第２仮想中心線ＣＬ２（仮想直線Ｘ３）に向かうに従って該傾斜角度が小さくなっている。また、複数の第２指標１２のうち、おむつ１の長手方向側縁１ｃに最も近い位置に表示されている側縁最近接指標１２Ｑが、おむつ１の長手方向（第２仮想中心線ＣＬ２）に対する傾斜角度が最大となっており、且つ複数の第２指標１２は、該長手方向側縁１ｃから第２仮想中心線ＣＬ２（仮想直線Ｘ３）に向かうに従って該傾斜角度が小さくなっている。
また、ファスニングテープ６の先端縁６ａは、３つの凸部が該凸の方向と直交する方向に連なった３連波線形状に形成されており、複数の指標１１，１２，１３の一部が、それぞれ該３連波線形状と同一形状部分を有している。
第６実施形態は、複数の指標の形状が統一されていないものの、傾斜角度の異なる複数の第１指標１１及び第２指標１２が表示されている点で、図８に示す第３実施形態と共通しており、このため、第３実施形態と同様の効果を奏し、着用者に対してよりきめ細かな止着形態を提供することができる。
【００３７】
図１２は、本発明の第７実施形態の要部を示す平面図である。第７実施形態のおむつ１は、おむつ１の幅方向を二分する第１仮想中心線ＣＬ１（仮想中心線）によって分けられるランディングテープ７の右側領域７Ｒ及び左側領域７Ｌそれぞれの表面に、絵柄を含んで構成されるデザイン２０が施されている。デザイン２０は第１仮想中心線ＣＬ１を挟んで左右対称位置に施されている（左側領域７Ｌのデザインは図示省略）。第７実施形態の絵柄は、「雲」と「虹」から構成されている。
【００３８】
デザイン２０を構成する絵柄は、ファスニングテープ６の止着位置を示す指標２１としての「虹」を有している。指標２１「虹」は、おむつ１の長手方向側縁１ｃ側から第１仮想中心線ＣＬ１側に向けて実質的に連続し、且つおむつ１の長手方向第２端部１ｂ側（おむつ１の上方側）に凸の円弧状を有している。この指標２１における凸は、「虹」のおむつ幅方向の略中心点と一致している。ここで、「実質的に連続する」とは、長手方向側縁１ｃ側から第１仮想中心線ＣＬ１側に向けて途切れている部分が全くない一続きの場合のみならず、途中に多少の不連続部分があっても全体としては連続しているとみなせる場合も含む。
【００３９】
また、ファスニングテープ６のランディングテープ７との止着面と反対側の面に、デザイン２０を構成する絵柄と相関する絵柄６１が施されている。ここで、「デザイン２０を構成する絵柄と相関する絵柄」とは、デザイン２０を構成する絵柄と組み合わされても違和感を覚えさせない絵柄を意味する。第４実施形態では、絵柄６１は、デザイン２０を構成する指標２１「虹」の一部と、この虹の上に傘を持って立つ「うさぎ」とから構成されている。
【００４０】
第７実施形態のおむつ１を着用する際は、ランディングテープ７のデザイン２０を構成する指標２１「虹」の形状に合わせてファスニングテープ６を止着させる。このようなファスニングテープの止着法は、デザイン２０と絵柄６１との高い相関性により、特に説明がなくても容易に行うことができる。
第７実施形態のおむつ１は、指標２１「虹」が、おむつ１の長手方向第２端部１ｂ側に凸の円弧状を有していることにより、該指標２１における該凸部から第１仮想中心線ＣＬ１側に亘る部分が、前述した実施形態における第１指標と同様に機能し、該凸部からおむつ１の長手方向側縁側１ｃ側に亘る部分が、前述した実施形態における第２指標と同様に機能する。しかも、この指標２１「虹」が、おむつ１の長手方向側縁１ｃ側から第１仮想中心線ＣＬ１側に向けて実質的に連続して形成されているので、複数の指標が不連続に並んでいる前述の実施形態に比して、ファスニングテープ６の止着位置の自由度が高く、標準的な体型、標準より小さめの体型、標準より大きめの体型それぞれに対して、良好なフィットが得られるように、よりきめ細かな止着形態を提供することができる。
また、第４実施形態のおむつ１は、ファスニングテープ６の止着位置によりファスニングテープ６とランディングテープ７とから構成される一連の絵柄が変化する（「うさぎ」の位置が変化する）という演出が加味されており、おむつの着用に楽しさを与えることができる。第４実施形態のおむつ１は、見た目に楽しく、外見的に面白味があり、主たる着用者である幼児の興味を誘うおむつであるといえる。
【００４１】
図１３は、本発明の第８実施形態の要部を示す平面図、図１４は、本発明の第９実施形態の要部を示す平面図である。第８及び第９実施形態は、ランディングテープ７に施されているデザイン２０及びファスニングテープ６に施されているデザイン６１が異なる点以外は、第７実施形態と同じである。第８及び第９実施形態によっても、第７実施形態と同様の効果が奏される。
【００４２】
第８実施形態のおむつ１は、デザイン２０を構成する絵柄が三角形形状の「丘陵」と「花」から構成されている。デザイン２０を構成する絵柄は、ファスニングテープ６の止着位置を示す指標２１としての「丘陵」を有している。指標２１「丘陵」は、おむつ１の長手方向側縁１ｃ側から第１仮想中心線ＣＬ１側に向けて実質的に連続し、且つおむつ１の長手方向第２端部１ｂ側（おむつ１の上方側）に凸の山型形状を有している。この指標２１における凸は、「丘陵」のおむつ幅方向の略中心点と一致している。
また、ファスニングテープ６のランディングテープ７との止着面と反対側の面に、デザイン２０を構成する絵柄と相関する絵柄６１が施されており、この絵柄６１は、デザイン２０を構成する指標２１「丘陵」の一部と、この丘陵の上に花を持って立つ「うさぎ」とから構成されている。
【００４３】
第９実施形態のおむつ１は、デザイン２０を構成する絵柄が「波」から構成されており、この「波」が、ファスニングテープ６の止着位置を示す指標２１である。指標２１「波」は、おむつ１の長手方向側縁１ｃ側から第１仮想中心線ＣＬ１側に向けて実質的に連続し、且つおむつ１の長手方向第２端部１ｂ側（おむつ１の上方側）に凸の円弧状を有している。この指標２１における凸は、「波」のおむつ幅方向の略中心点と一致している。
また、ファスニングテープ６のランディングテープ７との止着面と反対側の面に、デザイン２０を構成する絵柄と相関する絵柄６１が施されており、この絵柄６１は、デザイン２０を構成する指標２１「波」の一部と、この波にサーフボードで波乗りしている「うさぎ」とから構成されている。
【００４４】
以上、本発明をその好ましい実施形態に基づき説明したが、本発明は前記実施形態に制限されない。
例えば前記実施形態では、ファスニングテープの止着機構が、ループ部材（ランディングテープ）とフック部材（ファスニングテープ）とからなるメカニカルファスナであったが、これに代えて、合成樹脂等からなるシート（ランディングテープ）と粘着剤（ファスニングテープ）との組み合わせとしてもよい。
また、おむつ１の構成は本発明の目的を阻害しない範囲で適宜変更可能であり、公知のおむつのように、おむつ１の表面シート２側の左右両側部に立体ギャザーが形成されていてもよい。
【図面の簡単な説明】
【００４５】
【図１】本発明の第１実施形態としての使い捨ておむつを平面状に拡げた状態を示す非肌当接面側の平面図である。
【図２】図１に示すおむつを腹側部から見た斜視図である。
【図３】図１に示すおむつの要部を拡大して示す平面図である。
【図４】図１に示すおむつのファスニングテープをランディングテープの第３指標に合わせて止着させた状態を示す平面図である。
【図５】図１に示すおむつのファスニングテープをランディングテープの第１指標に合わせて止着させた状態を示す平面図である。
【図６】図１に示すおむつのファスニングテープをランディングテープの第２指標に合わせて止着させた状態を示す平面図である。
【図７】本発明の第２実施形態の要部を示す平面図である。
【図８】本発明の第３実施形態の要部を示す平面図である。
【図９】本発明の第４実施形態の要部を示す平面図である。
【図１０】本発明の第５実施形態の要部を示す平面図である。
【図１１】本発明の第６実施形態の要部を示す平面図である。
【図１２】本発明の第７実施形態の要部を示す平面図である。
【図１３】本発明の第８実施形態の要部を示す平面図である。
【図１４】本発明の第９実施形態の要部を示す平面図である。
【符号の説明】
【００４６】
１  使い捨ておむつ
１ａ  おむつの長手方向第１端部（腹側の長手方向端部）
１ｂ  おむつの長手方向第２端部（背側の長手方向端部）
２  表面シート
３  裏面シート
４  吸収体
５  弾性部材
６  ファスニングテープ
６ａ  ファスニングテープの先端縁
６ｂ  ファスニングテープの基端部
７  ランディングテープ（基材シート）
７Ｒ  ランディングテープの右側領域
７Ｌ  ランディングテープの左側領域
１１  第１指標
１２  第２指標
１３  第３指標
２０  ランディングテープに施されるデザイン
２１  指標
６１  ファスニングテープに施される絵柄
Ｓ  サイドフラップ
Ａ  股下部
Ｂ  腹側部
Ｃ  背側部
ＣＬ１  第１仮想中心線
ＣＬ２  第２仮想中心線
Ｘ１〜Ｘ３、Ｘ１´、Ｘ２´  仮想直線
【図１】
2008168115.tif 000003
【図２】
2008168115.tif 000004
【図３】
2008168115.tif 000005
【図４】
2008168115.tif 000006
【図５】
2008168115.tif 000007
【図６】
2008168115.tif 000008
【図７】
2008168115.tif 000009
【図８】
2008168115.tif 000010
【図９】
2008168115.tif 000011
【図１０】
2008168115.tif 000012
【図１１】
2008168115.tif 000013
【図１２】
2008168115.tif 000014
【図１３】
2008168115.tif 000015
【図１４】
2008168115.tif 000016